(57)【要約】      （修正有）【課題】被支持体の吊り下げの維持管理に手間のかからないハンガーばね装置を提供する。【解決手段】スライド孔を有する一対の座板１０，２０と、直線部５２，６２と湾曲部５１，６１とから構成される一対のＵ字ロッド５０，６０とを備え、前記一対の座板１０，２０を略平行に配置し、その各々の外側から前記スライド孔に前記Ｕ字ロッド５０，６０の直線部５２，６２を進退可能に貫通するとともにその先端部を対向する座板１０，２０に固定し、前記一対の座板１０，２０の間における前記Ｕ字ロッド５０，６０の直線部５２，６２に圧縮ばねＳを圧縮可能な状態で外嵌めした。【選択図】図１
2009162286.tif 000002
【特許請求の範囲】
【請求項１】
スライド孔を有する一対の座板と、直線部と湾曲部とから構成される一対のＵ字ロッドとを備え、前記一対の座板を略平行に配置し、その各々の外側から前記スライド孔に前記Ｕ字ロッドの直線部を進退可能に貫通するとともにその先端部を対向する座板に固定し、前記一対の座板の間における前記Ｕ字ロッドの直線部に圧縮ばねを圧縮可能な状態で外嵌めしたことを特徴とするハンガーばね装置。
【請求項２】
前記座板に係止具を設置し、この係止具に前記圧縮ばねを着脱可能に設置したことを特徴とする請求項１のハンガーばね装置。
【請求項３】
前記係止具は前記Ｕ字ロッドの先端部と同時固定されていることを特徴とする請求項２のハンガーばね装置。
【発明の詳細な説明】
【技術分野】
【０００１】
この発明はハンガーばね装置に関し、例えば、配管、電線ケーブルの吊り下げ支持、作動ハンドルの操作、繋留ロープの保護（緩衝用）するために使用されるものである。
【背景技術】
【０００２】
従来におけるこの種のハンガーばね装置にあっては、図９に示すように、圧縮コイルばね91,92 の各々の開口からＵ字フック93,94 をその湾曲部931,941 を前にして挿入し、その両端縁を前記圧縮コイルばね91,92 の侵入口の端縁に係止させるとともに前記湾曲部を前記圧縮コイルばねから突出させ、一方のＵ字フックの湾曲部931 を支持体（支柱等）に掛け止めし、他方のＵ字フックの湾曲部941 に被支持体（配管，電線ケーブル等）を掛け止めしていた（特開２００２−５４６８４号（従来技術）。
【０００３】
【特許文献１】特開２００２−５４６８４号公報
【発明の開示】
【発明が解決しようとする課題】
【０００４】
しかしながら、かかる従来のハンガーばね装置にあっては、Ｕ字フック93,94 を圧縮コイルばね91,92 の開口端に掛け止めしていたにすぎないため、引っ張り荷重が圧縮コイルばね91,92 全体に均一に掛かりにくい結果、この圧縮コイルばね91,92 によって滑らかな緩衝作用を得にくく、又、Ｕ字フック93,94 を圧縮コイルばね93,94 の開口端に掛け止めしていたにすぎないため、伸び縮みの際にＵ字フック93,94 が外れるおそれがある結果、被支持体（配管，電線ケーブル等）の吊り下げの維持管理に手間がかかるという不都合を有した。
【０００５】
この発明の課題はこの不都合を解消することである。
【課題を解決するための手段】
【０００６】
前記不都合を解消するために、この発明に係るハンガーばね装置においては、スライド孔を有する一対の座板と、直線部と湾曲部とから構成される一対のＵ字ロッドとを備え、前記一対の座板を略平行に配置し、その各々の外側から前記スライド孔に前記Ｕ字ロッドの直線部を進退可能に貫通するとともにその先端部を対向する座板に固定し、前記一対の座板の間における前記Ｕ字ロッドの直線部に圧縮ばねを圧縮可能な状態で外嵌めしたものである。
【０００７】
なお、この場合、前記座板に係止具を設置し、この係止具に前記圧縮ばねを着脱可能に設置することもできる。
【０００８】
また、前記係止具を前記Ｕ字ロッドの先端部と同時固定することもできる。
【発明の効果】
【０００９】
この発明に係るハンガーばね装置は上記のように構成されているため、即ち、スライド孔を有する一対の座板と、直線部と湾曲部とから構成される一対のＵ字ロッドとを備え、前記一対の座板を略平行に配置し、その各々の外側から前記スライド孔に前記Ｕ字ロッドの直線部を進退可能に貫通するとともにその先端部を対向する座板に固定し、前記一対の座板の間における前記Ｕ字ロッドの直線部に圧縮ばねを圧縮可能な状態で外嵌めしたため、
引っ張り荷重を圧縮ばねの開口端全面で受けることができるとともに圧縮ばねが伸び縮みの際に前記Ｕ字ロッドが外れるおそれはないものである。
【００１０】
よって、このハンガーばね装置を使用すれば、引っ張り荷重を圧縮ばねの開口端全面で受けることができるため、被支持体（配管，電線ケーブル等）はこの圧縮コイルばねによって滑らかな緩衝作用を得やすく、また、圧縮ばねが伸び縮みの際に前記Ｕ字ロッドが外れるおそれはないため、被支持体（配管，電線ケーブル等）の吊り下げの維持管理に手間がからないものである。
【００１１】
また、取付け使用時のタワミの状態など、外から目視することができるため管理しやすいものである。
【００１２】
なお、この場合、前記座板に係止具を設置し、この係止具に前記圧縮ばねを着脱可能に設置すれば、前記圧縮ばねを座板に固定することができるため、前記圧縮ばねが自由長の状態で前記Ｕ字ロッドが進退することはない結果、安定した状態で被支持体（配管，電線ケーブル等）を吊り下げることができる。
【００１３】
また、前記係止具を前記Ｕ字ロッドの先端部と同時固定すれば、この係止具の組み付けが簡単になるとともに部品点数が少なくすり生産コストの低額化を図ることができる。
【発明を実施するための最良の形態】
【００１４】
この発明に係るハンガーばね装置は、スライド孔を有する一対の座板と、直線部と湾曲部とから構成される一対のＵ字ロッドとを備え、前記一対の座板を略平行に配置し、その各々の外側から前記スライド孔に前記Ｕ字ロッドの直線部を進退可能に貫通するとともにその先端部を対向する座板に固定し、前記一対の座板の間における前記Ｕ字ロッドの直線部に圧縮ばねを圧縮可能な状態で外嵌めすることに最も主要な特徴を有する。
【実施例】
【００１５】
以下、この発明の実施例を図面に基づいて説明する。
【００１６】
図１はこのハンガーばね装置の実施例の正面図、図２は同背面図、図３は同右側面図、図４は同左側面図、図５は同平面図、図６は同底面図、図７は図５におけるVII −VII 線断面図、図８はこの実施例の使用状態図である。
である。
【００１７】
図８において、Ａは支柱等の支持体、Ｐは配管等の被支持体である。Ｃはハンガーばね装置であり、前記支持体Ａに前記被支持体Ｐを吊り下げる際に使用され、各々の振動を緩衝して相手側に伝えないようにしている。
【００１８】
図１〜図７に基づいて、前記ハンガーばね装置Ｃについて詳述する。
【００１９】
10は第一座板（この発明の「座板」に相当する）、20は第二座板（この発明の「座板」に相当する）であり、上下方向に所定の間隔を介して略平行に配置されている。これらの座板10,20 は後記圧縮コイルばね（この発明の「圧縮ばね」に相当する）Ｓを支えるためのものである。
【００２０】
50は第一Ｕ字ロッド（この発明の「Ｕ字ロッド」に相当する）、60は第二Ｕ字ロッド（この発明の「Ｕ字ロッド」に相当する）であり、各々湾曲部51,61 の両端に直線部52,52,62,62 が延びている。そして、直線部52,52,62,62 の先端部はボルト状（53,63 ）に形成されている。
【００２１】
これらの一Ｕ字ロッド50又は前記第二Ｕ字ロッド60の各々湾曲部51,61 において、引っ張り荷重を受ける。
【００２２】
11,11 は前記第一座板10の固定孔、12,12 は同スライド孔である。また、21,21 は前記第二座板20の固定孔、22,22 は同スライド孔である。
【００２３】
前記第一Ｕ字ロッド50はその直線部52,52 を介して、前記第一座板10のスライド孔12,12 を外側から進退可能に貫通し、前記第二座板20の固定孔21,21 を貫通した状態でボルト・ナット（53,54)止めされている。
【００２４】
また、前記第二Ｕ字ロッド60はその直線部62,62 を介して、前記第二座板20のスライド孔22,22 を外側から進退可能に貫通し、前記第一座板10の固定孔11，11を貫通した状態でボルト・ナット（63,64)止めされている。
【００２５】
Ｓは圧縮コイルばねであり、前記第一座板10と前記第二座板20との間における前記第一Ｕ字ロッド50の直線部52と前記第二Ｕ字ロッド60の直線部62に圧縮可能な状態で外嵌めされている。この圧縮コイルばねＳの伸縮によって、このハンガーばね装置Ｃは緩衝作用を発揮することができる。
【００２６】
なお、圧縮コイルばねＳにおいては、使用時（取付時）の荷重は、ばねの全タワミ量の３０〜７０パーセントとしてばね定数から計算した。また、ばねの選定を容易にするために、このタワミ３０〜７０パーセントの中間 (中心) の荷重を中心荷重として表示した。
【００２７】
このように圧縮コイルばねＳを使用すれば、ある程度の過大な荷重を受けた時は、ばねは密着状態になり、それ以上の伸び変形は防止することができるものである。
【００２８】
71 は第一係止具（この発明の「係止具」に相当する）であり、前記第一座板50の内壁面に配置され、前記第二Ｕ字ロッド60の先端部と一緒にボルト・ナット（63,64)止めされている。この第一係止具71は前記圧縮コイルばねＳの上端縁を前記第一座板50に固定させるためのものである。
【００２９】
また、81は第二係止具（この発明の「係止具」に相当する）であり、前記第二座板60の内壁面に配置され、前記第一Ｕ字ロッド50の先端部と一緒にボルト・ナット（53,54)止めされている。この第二係止具81は前記圧縮コイルばねＳの下端縁を前記第二座板60に固定させるためのものである。
【００３０】
このハンガーばね装置Ｃを組み付ける場合には、前記第一Ｕ字ロッド50の直線部52,52 をして前記第一座板10のスライド孔12,12 を貫通せしめ、且つ、前記第二Ｕ字ロッド60の直線部62,62 をして前記第二座板20のスライド孔22,22 を貫通せしめ、その後、この貫通した前記第一Ｕ字ロッド50の直線部52,52 および前記第二Ｕ字ロッド60の直線部62,62 に前記圧縮コイルばねＳを外嵌めする。その後、それぞれ、対向する前記第二座板20の固定孔21,21 又は前記第一座板10の固定孔11，11を貫通した状態でボルト・ナット（53,54,63,64)止めする。
【産業上の利用可能性】
【００３１】
この発明は、被支持体（配管，電線ケーブル等）に対して滑らかな緩衝作用を得るため、また、被支持体（配管，電線ケーブル等）の吊り下げの維持管理の手間の省く場合に利用することができる。
【図面の簡単な説明】
【００３２】
【図１】図１はこのハンガーばね装置の実施例の正面図である。
【図２】図２は同背面図である。
【図３】図３は同右側面図である。
【図４】図４は同左側面図である。
【図５】図５は同平面図である。
【図６】図６は同底面図である。
【図７】図７は図５におけるVII −VII 線断面図である。
【図８】図８はこの実施例の使用状態図である。
【図９】図９は図８に相当する従来例の図である。
【符号の説明】
【００３３】
Ａ  …  支柱等の支持体
Ｐ  …  配管等の被支持体
Ｃ  …  ハンガーばね装置
Ｓ  …  圧縮コイルばね（圧縮ばね）
10  …  第一座板（座板）
11  …  固定孔（第一座板の）
12  …  スライド孔（第一座板の）
20  …  第二座板（座板）
21  …  固定孔（第二座板の）
22  …  スライド孔（第二座板の）
50  …  第一Ｕ字ロッド（Ｕ字ロッド）
51  …  湾曲部（第一Ｕ字ロッドの）
52  …  直線部（第一Ｕ字ロッドの）
53  …  ボルト状（第一Ｕ字ロッドの）
54  …  ナット部（第一Ｕ字ロッドの）
60  …  第二Ｕ字ロッド（Ｕ字ロッド）
62  …  直線部（第二Ｕ字ロッドの）
61  …  湾曲部（第二Ｕ字ロッドの）
63  …  ボルト状（第二Ｕ字ロッドの）  
64  …  ナット部（第二Ｕ字ロッドの）
71  …  第一係止具（係止具）
81  …  第二係止具（係止具）
91,92   …  圧縮コイルバネ
93,94   …  Ｕ字フック93,94 
931,941 …  湾曲部931,941 
【図１】
2009162286.tif 000003
【図２】
2009162286.tif 000004
【図３】
2009162286.tif 000005
【図４】
2009162286.tif 000006
【図５】
2009162286.tif 000007
【図６】
2009162286.tif 000008
【図７】
2009162286.tif 000009
【図８】
2009162286.tif 000010
【図９】
2009162286.tif 000011